(57)【要約】      （修正有）【課題】個人及び／または店舗に係る端末装置でのコーディネートシミュレーション及び該シミュレーションに係る商品を予約するシステムを含んだファッションコーディネートシステムを提供する。【解決手段】各種機器のうち少なくとも１つを含む文字情報入力機器から入力された各種情報を所定の処理により認識し、ファッション情報出力部１０２にて所定の画像情報や文字情報を他の情報端末に転送し、ファッションコーディネート編集実行部１０３にて画情報や文字情報の所定の処理を実行し、ファッションコーディネート操作画面表示部１０４にてファッションコーディネート編集実行部１０３にて所定の画面表示処理された画面を表示し、ファッションコーディネート通信部１０５にて画像情報や文字情報をネットワークを介して送受信し、ファッション情報記憶部１０６にて所定の記憶構造により画像情報や文字情報を格納しておく。【選択図】図１
2009099143.tif 000002
【特許請求の範囲】
【請求項１】
ユーザ及び／または店舗のファッションにおける衣服、靴、アクセサリー及び小物のうちの少なくとも一つに関する画像情報及び／もしくは文字情報であるファッションアイテム情報及びユーザのファッションにおける顔、身体、髪型、髭のうちの少なくとも一つに関する画像情報及び／もしくは文字情報であるファッションスタイル情報を入力するファッション情報入力部と、
前記ファッション情報を出力するファッション情報出力部と、
ユーザのファッションに係るコーディネートを編集及び実行するファッションコーディネート編集実行部と、
端末の画面にファッションコーディネートに係るグラフィカルな操作表示を提供するファッションコーディネート操作画面表示部と、
ネットワークを介して前記ファッション情報の送受信をするファッションコーディネート通信部と、
前記ファッション情報を記憶するファッション情報記憶部と
を具備することを特徴とするファッションコーディネート端末装置。
【請求項２】
前記ファッション情報入力部は、バーコード及び／またはＱＲコードを含むコード入力機能と、
ＲＦＩＤを含むセンサ入力機能とが含まれること
を特徴とする請求項１記載のファッションコーディネート端末装置。
【請求項３】
前記ファッションコーディネート編集実行部は、前記ファッション情報記憶部に記憶されているファッション情報を携帯情報端末及び／または店舗端末に転送するファッション情報転送機能が含まれること
を特徴とする請求項１記載のファッションコーディネート端末装置。
【請求項４】
前記ファッションコーディネート編集実行部は、前記ファッション情報入力部に入力されたファッション情報に画像情報が含まれる場合には、該画像情報のうち不要な部分を削除する画像情報不要部分削除機能が含まれること
を特徴とする請求項１記載のファッションコーディネート端末装置。
【請求項５】
前記ファッションコーディネート編集実行部は、前記ファッション情報入力部から入力されたファッション情報における画像情報及び／または前記画像情報不要部分削除機能にて編集された編集済画像情報に係るコーディネート画像情報を該ファッション情報に係る文字情報を基に条件設定して前記ファッション情報記憶部に格納するコーディネート画像情報条件設定格納機能と、該アイテム情報に係る文字情報を基に条件指定して該ファッション情報記憶部より呼び出すコーディネート画像情報条件指定呼出機能とが含まれること
を特徴とする請求項１記載のファッションコーディネート端末装置。
【請求項６】
前記ファッションコーディネート編集実行部は、前記コーディネート画像情報条件設定格納機能を実行させるための操作部分を少なくとも備える所定のウィンドウを表示するコーディネート画像情報条件設定ウィンドウ表示機能が含まれること
を特徴とする請求項５記載のファッションコーディネート端末装置。
【請求項７】
前記ファッションコーディネート編集実行部は、コーディネート画像情報に係るユーザの切替を可能とするユーザ切替ボタンと、ユーザの複数のファッションコーディネートを視認可能とするファッションコーディネート部分と、ファッション情報に係る文字情報を基に条件設定されるコーディネート画像情報の切替表示を可能とするコーディネート画像情報切替表示部分とを少なくとも備える所定のウィンドウを表示するコーディネートウィンドウ表示機能とが含まれること
を特徴とする請求項１記載のファッションコーディネート端末装置。
【請求項８】
前記ファッションコーディネート編集実行部は、前記コーディネートウィンドウ表示機能によって表示されるファッションコーディネート部分に映し出されるユーザを複数の角度から視認するため切替表示可能とするユーザ視認角度切替表示機能が含まれること
を特徴とする請求項７記載のファッションコーディネート端末装置。
【請求項９】
前記ファッションコーディネート編集実行部は、前記コーディネートウィンドウ表示機能によって表示されるファッションコーディネート部分に映し出されるユーザの身体の一部分を複写して他の部分に貼り付けるユーザ身体一部分複写貼付機能が含まれること
を特徴とする請求項７記載のファッションコーディネート端末装置。
【請求項１０】
前記ファッションコーディネート編集実行部は、前記コーディネートウィンドウ表示機能によって表示されるコーディネート画像情報切替表示部分に映し出されるファッションアイテム情報に係るコーディネート画像情報に条件設定されている各種情報を所定の操作実行により表示するファッション情報詳細表示機能が含まれること
を特徴とする請求項７記載のファッションコーディネート端末装置。
【請求項１１】
前記ファッションコーディネート編集実行部は、前記コーディネートウィンドウ表示機能によって表示される所定のウィンドウにて国別装着物寸法表や年齢別装着物平均寸法表のうち少なくとも１つを含む各種寸法表を所定の操作実行により表示する装着物寸法表表示機能が含まれること
を特徴とする請求項７記載のファッションコーディネート端末装置。
【請求項１２】
前記ファッションコーディネート編集実行部は、前記コーディネートウィンドウ表示機能により表示されたコーディネート画像情報の１つを選択してファッションコーディネート部分に表示された複数のユーザ中の１ユーザに係る身体の形状（ポーズ）に合わせて仮想的に装着可能とするコーディネート画像情報仮想装着機能が含まれること
を特徴とする請求項７記載のファッションコーディネート端末装置。
【請求項１３】
前記ファッションコーディネート編集実行部は、前記コーディネートウィンドウ表示機能により表示されたファッションコーディネート部分に映し出された複数のユーザ中の１ユーザを選択して該ユーザに係る身体以外の背景部分の画像を任意及び／または季節毎或いは場所毎に所定の背景を自動的に設定可能とする背景画像設定機能が含まれること
を特徴とする請求項７記載のファッションコーディネート端末装置。
【請求項１４】
前記ファッションコーディネート編集実行部は、前記コーディネート画像情報切替部分に表示させるための条件指定検索ウィンドウを表示する条件指定検索ウィンドウ表示機能が含まれること
を特徴とする請求項１０記載のファッションコーディネート端末装置。
【請求項１５】
前記ファッションコーディネート編集実行部は、カレンダーに係る日付に前記コーディネート画像情報や各種行事を設定し、該日付に設定されている条件に基いて前記コーディネート画像情報切替部分に表示するカレンダー設定検索ウィンドウ表示機能が含まれること
を特徴とする請求項１０記載のファッションコーディネート端末装置。
【請求項１６】
前記ファッションコーディネート編集実行部は、前記ファッション情報入力部により入力されたファッションアイテム情報に係る各種装着物の付着物（タグ）を含む画像情報を文字情報に変換して翻訳する画像情報文字情報変換翻訳機能が含まれること
を特徴とする請求項１記載のファッションコーディネート端末装置。
【請求項１７】
前記ファッションコーディネート編集実行部は、前記コーディネート画像情報仮想装着機能により装着させたコーディネート画像情報の色彩、模様及び柄を含む各種装飾情報を所定の操作実行によって変更するコーディネート画像情報装飾情報変更機能が含まれること
を特徴とする請求項１２記載のファッションコーディネート端末装置。
【請求項１８】
前記ファッションコーディネート編集実行部は、乳幼児の装着物や使用物、幼少児の装着物及び不用装着物を含む各種ファッションアイテム情報のうち少なくとも１つを含むファッションアイテム情報については、さらに譲渡、修繕及びネットオークションへの出品に係る各種処分のうち少なくとも１つを含む処分を実行する処分実行機能が含まれること
を特徴とする請求項１記載のファッションコーディネート端末装置。
【請求項１９】
コンピュータに、
ユーザ及び／または店舗のファッションにおける衣服、靴、アクセサリー及び小物のうちの少なくとも一つに関する画像情報及び／もしくは文字情報であるファッションアイテム情報及びユーザのファッションにおける顔、身体、髪型、髭のうちの少なくとも一つに関する画像情報及び／もしくは文字情報であるファッションスタイル情報を入力するファッション情報入力部と、
前記ファッション情報を出力するファッション情報出力部と、
ユーザのファッションに係るコーディネートを編集及び実行するファッションコーディネート編集実行部と、
端末の画面にファッションコーディネートに係るグラフィカルな操作表示を提供するファッションコーディネート操作画面表示部と、
ネットワークを介して前記ファッション情報の送受信をするファッションコーディネート通信部と、
前記ファッション情報を記憶するファッション情報記憶部と
を実行させることを特徴とするソフトウェア。
【請求項２０】
ファッションコーディネート端末装置を有するユーザからの要求に応じてネットワークを介して購入希望の商品をファッションアイテム画像情報に基づいて予約するファッションコーディネート商品予約システムにおいて、
各店舗の備える前記ファッションコーディネート端末装置は、
ユーザ及び／または店舗のファッションにおける衣服、靴、アクセサリー及び小物のうちの少なくとも一つに関する画像情報及び／もしくは文字情報であるファッションアイテム情報及びユーザのファッションにおける顔、身体、髪型、髭のうちの少なくとも一つに関する画像情報及び／もしくは文字情報であるファッションスタイル情報を入力するファッション情報入力部と、
前記ファッション情報を出力するファッション情報出力部と、
ユーザのファッションに係るコーディネートを編集及び実行するファッションコーディネート編集実行部と、
端末の画面にファッションコーディネートに係るグラフィカルな操作表示を提供するファッションコーディネート操作画面表示部と、
ネットワークを介して前記ファッション情報の送受信をするファッションコーディネート通信部と、
前記ファッション情報を記憶するファッション情報記憶部と
を備え、前記ファッションコーディネート商品予約システムは、
前記ユーザからの要求に基づいて各店舗を含む取引状況に係る商品の有無をリアルタイムに検索するリアルタイム商品検索部と、所定の処理により該商品の購入予約を可能とするリアルタイム商品購入予約部と、ネットワークを介して前記ユーザからの要求に係る前記ファッションアイテム画像情報の受信及び前記リアルタイム商品検索部による検索結果と前記リアルタイム商品予約部による予約完了に係る各種情報の少なくとも１つを含む情報を送信するリアルタイム通信部と
を有するリアルタイム商品予約管理装置と
を具備することを特徴とするファッションコーディネート商品予約システム。
【請求項２１】
ウェブ上でファッションのコーディネートを行うファッションコーディネートシステムであって、
ユーザのファッションに係るコーディネートを編集及び実行するファッションコーディネート編集実行部と、ネットワークを介してファッション情報の送受信をするファッションコーディネート通信部とを有するファッションコーディネート管理装置と、
ファッション情報を記憶するファッション情報記憶部とを有するファッションコーディネート記憶装置と
を具備することを特徴とするファッションコーディネートシステム。
【発明の詳細な説明】
【技術分野】
【０００１】
本発明は、ファッションのコーディネートを自己の保有する端末にて行うためのファッションコーディネート端末装置、ソフトウェア及びファッションコーディネートシステム、並びにユーザが購入を希望する商品の予約を行うためのファッションコーディネート商品予約システムに関する。
【背景技術】
【０００２】
従来、ユーザはあらゆる手段によりファッションのコーディネートを行っている。例えば、自己の所持する衣服、靴、アクセサリー及び小物に係るアイテムを組み合せてコーディネートしたり、店舗に陳列されている新たな商品を購入してコーディネートのバリエーションを増やしたりしている。このような場合、ユーザは自己の所持するアイテムの特徴や用途に適した使用タイミングを把握すること、及び、新たな商品とアイテムとの組み合わせについて客観的に判断することが好ましい。これによりユーザは、ファッションコーディネートに不要な時間を費やす必要がなくなると考えられる。しかし、所持するアイテムの特徴や用途に適した使用タイミング及び新たな商品とアイテムとの組み合わせの適正な判断はユーザ自身の記憶や経験則に委ねざるを得ないため、コーディネートやショッピングに時間を要してしまうことが多々ある。したがって、新たな商品を即座に購入できずに、欲するときには既に品切れになってしまう可能性もある。
【０００３】
一方、情報端末やネットワークの普及に伴い、ファッションコーディネートの情報端末でのシミュレーションや、ウェブ上で商品を購入するネットショッピングが活用されるようになっている。
【０００４】
そうした中にあって、例えば特開２００１−３５１０１７号公報（特許文献１）に見られるように、コーディネートのシミュレーションを行った上で新たな商品をオンラインで購入可能とする改善がなされている。しかしこうした従来技術では自己の所持するアイテムと購入しようとする新たな商品との組み合わせをシミュレーションすることができない。
【０００５】
また、特開２００６−１３３９８１号公報（特許文献２）に見られるように、自己の所持するアイテムと購入しようとする新たな商品との組み合わせをシミュレーション可能とする改善がなされている。しかしこうした従来技術ではアイテムの特徴や使用タイミングに基く抽出が即座にできず、コーディネートに係るシミュレーションに不要な時間を費やすため、迅速かつ適正なコーディネートをすることができなかった。
【特許文献１】特開２００１−３５１０１７号公報
【特許文献２】特開２００６−１３３９８１号公報
【発明の開示】
【発明が解決しようとする課題】
【０００６】
上述したように、これまでの情報端末やネットワークを利用したファッションコーディネートに係る先行技術は、ユーザの所持するアイテムの特徴や用途に適した使用タイミングを考慮したアイテム同士を組み合せた適正なコーディネートや、店舗に陳列されている新たな商品とアイテムとの組み合せについて客観的な判断によるコーディネートのシミュレーションができなかった。
【０００７】
また、自分の所持するアイテム同士での組み合せについて客観的な判断によるコーディネートのシミュレーションができなかったため、出勤、通学及び外出時に係る多忙な時間帯にはアイテム選択の余地がなく、アイテムが煩雑になってしまうことがあった。
【０００８】
また、店舗に陳列されている新たな商品とユーザが所持するアイテムとの組み合せについて客観的な判断によるコーディネートのシミュレーションができなかったため、ユーザはユーザ自身の記憶や経験則に委ねた抽象的な判断により新たな商品を購入するしかなかった。
【０００９】
また、ユーザは自己が所持するアイテムの特徴を記憶しきれず、用途に適した使用タイミングを使用時にその都度ユーザ自身の記憶や経験則に基づいて判断していたため、アイテム同士を組み合せたコーディネートや店舗に陳列されている新たな商品とアイテムとを組み合せたコーディネートを短時間で行うことができなかった。
【００１０】
また、店舗に陳列されている新たな商品とアイテムとを組み合せたコーディネートを短時間で行うことができず、コーディネートが適正かどうかの判断もできなかったため、ユーザは新たな商品を購入することができなかったり、購入した商品がユーザの想像していたコーディネートに合致しなかったりした。
【００１１】
また、ユーザは店舗に陳列されている新たな商品を購入することができなかったため、商品を欲するときには既に品切れで購入できない場合もあった。
【００１２】
本発明は上記の従来技術の問題を解決するためになされたもので、情報端末を利用してユーザのファッションコーディネートを支援し、ユーザが納得するコーディネートに係るアイテムの組み合せを割り出すことに時間を要することなく、客観的な判断に基づくファッションコーディネートを可能とするファッションコーディネート端末装置、ソフトウェア、ファッションコーディネート商品予約システム及びファッションコーディネートシステムを提供することを目的とする。
【００１３】
本発明の別の目的は、客観的に判断でき、事前に装着予定のアイテムを把握してのファッションコーディネートをシミュレーションし、所持するアイテム数を補う最適なローテーションによるコーディネートを可能とするファッションコーディネート端末装置、ソフトウェア、ファッションコーディネート商品予約システム及びファッションコーディネートシステムを提供することである。
【００１４】
本発明のまた別の目的は、ユーザ以外の第三者の所持する衣服、靴、アクセサリー及び小物に係るアイテムを登録することで、ユーザが所持するアイテムとの組み合わせによるシミュレーションを情報端末上で行うことを可能とし、より多くのファッションコーディネートを実現するファッションコーディネート端末装置、ソフトウェア、ファッションコーディネート商品予約システム及びファッションコーディネートシステムを提供することである。
【００１５】
本発明の更に別の目的は、店舗の情報端末に、店舗に陳列される衣服、靴、アクセサリー及び小物に係る商品を登録することで、来客時にユーザへのファッションコーディネートサービスを情報端末上でも行うことを可能とし、より有意義な接客の機会を実現するファッションコーディネート端末装置、ソフトウェア、ファッションコーディネート商品予約システム及びファッションコーディネートシステムを提供することである。
【００１６】
本発明の更にまた別の目的は、ユーザが店舗にて自己の情報端末に登録して買い損ねた衣服、靴、アクセサリー及び小物に係る商品を含む各種商品のうち少なくとも１つを含む商品を予約購入する際に、ユーザが商品の画像情報にて予約手続きを行うことを可能な、より簡易かつ迅速な予約購入サービスを実現するファッションコーディネート端末装置、ソフトウェア、ファッションコーディネート商品予約システム及びファッションコーディネートシステムを提供することである。
【００１７】
本発明のまた別の目的は、上記の各種サービスを、音声により、映像により提供したり、或いはＰＣのみならず、各種携帯情報機器を通して提供することにより、対象者の身体的状況（身体障害状況を問わず）や情報要求環境（出先、自宅を問わず）によらずに当該サービスの授受を行えるようにしたファッションコーディネート端末装置、ソフトウェア及びファッションコーディネート商品予約システムを提供することにある。
【００１８】
本発明のさらに別の目的は、自分の持ち物に対象を限ることなく、ネット上で、あるアイテムに対してファッションコーディネートを施し、それに組合せ可能な別のアイテムを提示し、利用者が当該提示された（複数）アイテムから所望のアイテムを選択して購入することが可能となるファッションコーディネート端末装置、ソフトウェア、ファッションコーディネート商品予約システム及びファッションコーディネートシステムを提供することにある。
【００１９】
かかる課題を解決するため、本発明は、ユーザ及び／または店舗のファッションにおける衣服、靴、アクセサリー及び小物のうちの少なくとも一つに関する画像情報及び／もしくは文字情報であるファッションアイテム情報及びユーザのファッションにおける顔、身体、髪型、髭のうちの少なくとも一つに関する画像情報及び／もしくは文字情報であるファッションスタイル情報を入力するファッション情報入力部と、前記ファッション情報を出力するファッション情報出力部と、ユーザのファッションに係るコーディネートを編集及び実行するファッションコーディネート編集実行部と、端末の画面にファッションコーディネートに係るグラフィカルな操作表示を提供するファッションコーディネート操作画面表示部と、ネットワークを介して前記ファッション情報の送受信をするファッションコーディネート通信部と、前記ファッション情報を記憶するファッション情報記憶部とを具備することを特徴とする。
【００２０】
ここで、「画像情報」とは、動画及び／もしくは静止画に係るあらゆる種類の情報をいう（以下同）。
【００２１】
このように構成することで、ファッション情報入力部にてデジタルカメラやスキャナを含む各種機器のうち少なくとも１つを含む画像情報機器やキーボードやタッチパネルを含む各種機器のうち少なくとも１つを含む文字情報入力機器から入力された各種情報を所定の処理により認識し、ファッション情報出力部にて所定の画像情報や文字情報を他の情報端末に転送し、ファッションコーディネート編集実行部にて画像情報や文字情報の所定の処理を実行し、ファッションコーディネート編集実行部にて所定の画面表示処理された画面をファッションコーディネート操作画面表示部にて表示し、ファッションコーディネート通信部にて画像情報や文字情報をネットワークを介して送受信し、ファッション情報記憶部にて所定の記憶構造により画像情報や文字情報を格納しておくため、ユーザ及び／または店舗はファッションコーディネートを情報端末により行うことができる。
【００２２】
また本発明に係るファッション情報入力部は、バーコード及び／またはＱＲコードを含むコード入力機能と、ＲＦＩＤを含むセンサ入力機能とが含まれることを特徴とする。
【００２３】
かかる機能を備える本発明によれば、各種ファッション情報を入力する際にバーコードやＱＲコードによるコード入力や、ＲＦＩＤによるセンサ入力を可能とするので、より迅速な入力処理が実現される。
【００２４】
ここで、ファッション情報入力部は、ユーザからの所定の操作実行の入力も可能とする。
【００２５】
また本発明に係るファッションコーディネート編集実行部は、ファッション情報記憶部に記憶されているファッション情報を携帯情報端末及び／または店舗端末に転送するファッション情報転送機能が含まれることを特徴とする。
【００２６】
かかる機能を備える本発明によれば、例えば、ユーザが有する携帯端末と接続することにより、ファッションコーディネート端末装置が有する各種ファッション情報と同期させることが実現される。
【００２７】
また本発明に係るファッションコーディネート編集実行部は、前記ファッション情報入力部に入力されたファッション情報に画像情報が含まれる場合には、該画像情報のうち不要な部分を削除する画像情報不要部分削除機能（トリミング機能）が含まれることを特徴とする。
【００２８】
かかる機能を備える本発明によれば、所定の処理により画像情報のうち不要な部分を削除するため、不要な部分を削除した画像情報にてコーディネートがよりスムーズに行うことが実現される。
【００２９】
また本発明に係るファッションコーディネート編集実行部は、前記ファッション情報入力部から入力されたファッション情報における画像情報及び／または前記画像情報不要部分削除機能にて編集された編集済画像情報に係るコーディネート画像情報を該ファッション情報に係る文字情報を基に条件設定して前記ファッション情報記憶部に格納するコーディネート画像情報条件設定格納機能と、該アイテム情報に係る文字情報を基に条件指定して該ファッション情報記憶部より呼び出すコーディネート画像情報条件指定呼出機能とが含まれることを特徴とする。
【００３０】
かかる機能を備える本発明によれば、各種コーディネート画像情報を所定の条件設定にてファッション情報記憶部に格納し、格納される各種コーディネート画像情報を所定の条件指定にてファッション情報記憶部から呼び出すことにより、的確かつ迅速な情報整理が実現される。
【００３１】
ここで、コーディネート画像情報条件設定格納機能及び／またはコーディネート画像情報条件指定呼出機能に係る条件は、コーディネート画像情報に係る固有識別番号、ファッションアイテム情報に係る所有者情報、例えば、本人、父、母、兄、姉、妹、弟、息子、娘、祖父、祖母、その他第三者（モデルや有名人を含む）、店舗等に係る所有者情報を含んで構成される。また、ファッションアイテム情報に係る分類情報は、例えば、アイテム大分類情報、アイテム中分類情報及びアイテム小分類情報を含んで構成される。アイテム大分類には、例えば、アウター、トップス、スーツ、インナー、ワンピース、和服、制服、民族衣装、スポーツウェア、ボトム、靴、ベルト、バック、アクセサリー、帽子、眼鏡といった情報項目が含まれる。アイテム中分類情報には、例えば、アウターには、コート、ジャケット、ブルゾンといった情報項目が含まれ、トップスには、ブラウス、ワイシャツ、カーディガン、トレーナー、ニット、ベスト、ボレロ、カットソー、チュニック、Ｔシャツ、カシュクールといった情報項目が含まれ、インナーには、Ｔシャツ、キャミソール、タンクトップといった情報項目が含まれ、ボトムには、スカート、パンツ、キュロットといった情報項目が含まれ、靴には、ハイヒール、パンプス、サンダル、ミュール、ブーツといった情報項目が含まれる。アイテム小分類情報には、例えば、トップスにかかるブラウスには、長袖、半袖、七分袖といった情報項目が含まれ、ワイシャツには、形状記憶、長袖、半袖、ボタンダウン、スナップボタン、スキッパーカラー、クレリック、台襟高、台襟無といった情報項目が含まれ、ボトムにかかるスカートには、タイト、フレア、プリーツ、Ａライン、ロング、ミニ、ギャザーといった情報項目が含まれ、パンツには、ハーフ、ショート、ジーンズ、サブリナといった情報項目が含まれ、ブーツには、ロング、ショートといった情報項目が含まれる。なお、該条件は随時追加削除可能とする。
【００３２】
また、上記条件設定された各種コーディネート画像情報については、生地、柄、色、サイズ、メーカー、購入日、購入金額を含む基本情報を条件付けできる。ここで、生地には、カシミヤ、アンゴラ、ウール、コーデュロイ、ツイード、スエード、ベルベッド、麻、綿、レザー、ムートン、ラメ、シルク、レース、ポリエステル、レーヨンが含まれ、柄には、無地、花柄、水玉、ストライプ、ボーダー、アニマル、チェック、ビーズ、スパンコールが含まれる。なお、条件は随時追加削除可能とする。
【００３３】
さらに、上記条件設定された各種コーディネート画像情報については、体感、用途、同行者、スタイル、天候を含む各種詳細情報を条件付けできる。ここで、体感には、軽量、清涼、温暖、暑い、快適、涼しい、寒い、といった情報項目が含まれ、用途には、通勤、通学、公園、アルバイト、リゾート、都会、歓送迎会、国内旅行、海外旅行、ドライブ、忘年会、新年会、食事会、合同コンパ、海、山、高原、パーティ、記念日、焼肉、高級レストランといった情報項目が含まれ、同行者には、女友達、男友達、グループ、母親及び／または父親、兄弟及び／または姉妹、上司、先輩、同僚、親戚といった情報項目が含まれ、スタイルには、トラッド、フェミニン、カジュアル、スポーティ、ドレッシー、キャリア、フォーマル、エレガント、スウィート、クール、カジュアルフライデー、クールビズ、ウォームビズ、キャラクター、スタイリッシュといった情報項目が含まれ、天候には、晴、曇り、雨、雪、嵐といった情報項目が含まれる。なお、条件は随時追加削除可能とする。
【００３４】
また、上記条件設定された各種コーディネート画像情報については、深層心理に係る属性情報を条件付けできる。ここで、深層心理に係る属性情報とは、コーディネート画像情報に係るアイテムが、元気がない、憂鬱、暗い、不安、悲しい、楽しい（ウキウキする）、嬉しい、優しい、穏やかその他の人が持つ深層心理を全て含み、これらに限定されない。なお、条件は随時追加削除可能とする。
【００３５】
さらに、上記条件設定された各種コーディネート画像情報については、周囲に与える印象に係る属性情報を条件付けできる。ここで、周囲に与える印象に係る属性情報とは、コーディネート画像情報に係るアイテムの周囲からの見え方として、地味、暗い、明るい、優しい、上品、清潔、健康的、女性（男性）らしい、知的、親しみのある、爽やかであるといった印象その他周囲に与える印象を全て含み、これらに限定されない。なお、条件は随時追加削除可能とする。
【００３６】
また、上記条件設定された各種コーディネート画像情報については、健康状態のケアに関する属性情報を条件付けできる。ここで、健康状態のケアに関する属性情報とは、風邪（風邪気味を含む。）、寒気、頭痛、腰痛、発熱、冷え性その他健康状態のケアに関する属性情報を全て含み、これらに限定されない。なお、条件は随時追加削除可能とする。
【００３７】
また上記の構成において、コーディネート画像情報条件設定格納機能を実行させるための操作部分を少なくとも備える所定のウィンドウを表示するコーディネート画像情報条件設定ウィンドウ表示機能が含まれるようにしてもよい。
【００３８】
かかる機能を備える本発明によれば、各種コーディネート画像情報をファッション情報記憶部に条件設定して格納するコーディネート画像情報条件設定格納機能を実行させるための所定のウィンドウを表示することにより、条件設定に係る操作を熟知していなくても簡単に条件設定を行うことが実現される。
【００３９】
また本発明に係るファッションコーディネート編集実行部は、コーディネート画像情報に係るユーザの切替を可能とするユーザ切替ボタンと、ユーザの複数のファッションコーディネートを視認可能とするファッションコーディネート部分と、ファッション情報に係る文字情報を基に条件設定されるコーディネート画像情報の切替表示可能とするコーディネート画像情報切替表示部分とを少なくとも備える所定のウィンドウを表示するコーディネートウィンドウ表示機能とが含まれることを特徴とする。
【００４０】
かかる機能を備える本発明によれば、ユーザ切替ボタンにて複数のユーザの切替表示ができ、ファッションコーディネート部分にてユーザは同時に複数のコーディネートを確認することができ、コーディネート画像情報切替表示部分にて格納されているコーディネート画像情報を表示して随時切替できることにより、ユーザ自身のコーディネートだけでなく、同時に他のユーザのコーディネートを確認することが実現される。
【００４１】
ここで、ファッションコーディネート部分は、所定のコーディネート画像情報を表示することも可能とする。
【００４２】
また上記の構成において、コーディネートウィンドウ表示機能によって表示されるファッションコーディネート部分に映し出されるユーザを複数の角度から視認するため切替表示可能とするユーザ視認角度切替表示機能が含まれるようにしてもよい。
【００４３】
かかる機能を備える本発明によれば、ファッションコーディネート部分に映し出されるユーザを複数の角度から視認することにより、例えば、背面からコーディネートの適正を判断することも実現される。
【００４４】
また上記の構成において、コーディネートウィンドウ表示機能によって表示されるファッションコーディネート部分に映し出されるユーザの身体の一部分を複写して他の部分に貼り付けるユーザ身体一部分複写貼付機能（コラージュ）が含まれるようにしてもよい。
【００４５】
かかる機能を備える本発明によれば、例えば、ユーザの首上部を複写し、商品を装着して店舗に展示されているマネキン人形に係るコーディネート画像情報の首上部に貼り付けることにより、ユーザはマネキン人形に係るコーディネートを簡易的にシミュレーションすることが実現される。
【００４６】
また上記の構成において、コーディネートウィンドウ表示機能によって表示されるコーディネート画像情報切替表示部分に映し出されるファッションアイテム情報に係るコーディネート画像情報に条件設定されている各種情報を所定の操作実行により表示するファッション情報詳細表示機能が含まれるようにしてもよい。
【００４７】
かかる機能を備える本発明によれば、ファッション情報に係るコーディネート画像情報とさらに条件設定されたコーディネート画像情報に係る各種情報を所定の操作実行で表示することにより、ユーザは文字情報も参考にしてコーディネートをすることが実現される。
【００４８】
また上記の構成において、コーディネートウィンドウ表示機能によって表示される所定のウィンドウにて国別装着物寸法表や年齢別装着物平均寸法表のうち少なくとも１つを含む各種寸法表を所定の操作実行により表示する装着物寸法表表示機能が含まれるようにしてもよい。
【００４９】
かかる機能を備える本発明によれば、ユーザが店舗にて商品購入する際に国別装着物寸法表や年齢別装着物平均寸法表のうち少なくとも１つを含む各種寸法表をファッションコーディネート端末装置に表示することにより、各種寸法表を参考にしてスムーズに商品を購入することが実現される。
【００５０】
また上記の構成において、コーディネートウィンドウ表示機能により表示されたコーディネート画像情報の１つを選択してファッションコーディネート部分に表示された複数のユーザ中の１ユーザに係る身体の形状（ポーズ）に合わせて仮想的に装着可能とするコーディネート画像情報仮想装着機能が含まれるようにしてもよい。
【００５１】
かかる機能を備える本発明によれば、ユーザが仮想的にファッションアイテムを装着しているように画面表示することにより、例えば、重ね着やマフラー等のコーディネートに係るシミュレーションが実現される。
【００５２】
また上記の構成において、コーディネートウィンドウ表示機能により表示されたファッションコーディネート部分に映し出された複数のユーザ中の１ユーザを選択してユーザに係る身体以外の背景部分の画像を任意及び／または季節毎或いは場所毎に所定の背景を自動的に設定可能とする背景画像設定機能が含まれるようにしてもよい。
【００５３】
かかる機能を備える本発明によれば、ユーザのコーディネート背景を任意に設定したり季節或いは外出先に合わせて自動的に設定したりすることにより、時期或いは場所による最適なアイテム収納が可能となり、コーディネートの適正をより正確に判断することが実現される。
【００５４】
また上記の場合、前記ファッションコーディネート編集実行部は、前記コーディネート画像情報切替部分に表示させるための条件指定検索ウィンドウを表示する条件指定検索ウィンドウ表示機能が含まれるようにしてもよい。
【００５５】
かかる機能を備える本発明によれば、条件指定検索ウィンドウからの条件指定により、条件に合致する所定のコーディネート画像情報を呼び出すことにより、ユーザの希望する条件により近接するコーディネートを迅速に行うことが実現される。
【００５６】
また上記の場合、カレンダーに係る日付にコーディネート画像情報や各種行事を設定し、日付に設定されている条件に基いてコーディネート画像情報切替部分に表示させるためのカレンダー設定検索ウィンドウ表示機能が含まれるようにしてもよい。
【００５７】
かかる機能を備える本発明によれば、カレンダーに係る日付毎にコーディネート画像情報や各種行事を設定し、日付に設定されている条件に基いて条件に合致する所定のコーディネート画像情報を呼び出すことにより、ユーザは数日前から装着予定のアイテムを把握でき、最適なローテーションで着回しを行うことが実現される。
【００５８】
また上記の場合、前記ファッション情報入力部により入力されたファッションアイテム情報に係る各種装着物の付着物（タグ）を含む画像情報を文字情報に変換して翻訳する画像情報文字情報変換翻訳機能が含まれるが含まれるようにしてもよい。
【００５９】
かかる機能を備える本発明によれば、各種アイテムの付着物（タグ）に係る画像情報を所定の処理により変換して翻訳することにより、ユーザは自ら翻訳することなしにアイテムに係るファッションアイテム情報を入手することが実現される。
【００６０】
また上記の場合、コーディネート画像情報仮想装着機能により装着させたコーディネート画像情報の色彩、模様及び柄を含む各種装飾情報を所定の操作実行によって変更するコーディネート画像情報装飾情報変更機能が含まれるようにしてもよい。
【００６１】
かかる機能を備える本発明によれば、上半身及び／または下半身に係る装着物の色彩、模様及び柄を含む各種装飾情報を所定の操作により変更することにより、様々なバリエーションのコーディネートに係るシミュレーションが実現される。
【００６２】
また本発明に係るファッションコーディネート編集実行部は、コーディネートを行う人の肌（顔及び体全体を含む。）、目、唇、髪の毛及び髭を含む人体の色彩を有する部分の色を選択することができるコーディネート人体色彩部分選択機能が含まれることを特徴とする。
【００６３】
かかる機能を備える本発明によれば、ユーザは人体の色彩を有する部分について各色を選択することで、より多くのバリエーションにて装着物の装着時をイメージすることができる。具体的には、例えば、画面上でユーザの髪の毛の色を変更した場合、その色自体が自分に似合うかどうかを確認できるだけでなく、該髪の毛の色を含めた装着物のファッションコーディネートをすることで、ユーザは一層所望のコーディネートをすることができる。また、これにより各人種（白人、黒人、黄色人その他の人種を全て含む。）の壁を越えたユーザでも利用することができる。なお、かかる機能には、部分的に色彩を替えること（肌のしみやほくろ、化粧、タトゥー及び特殊メイクを含む。）も含まれる。
【００６４】
また本発明に係るファッションコーディネート編集実行部は、入力したファッションアイテム情報を音声情報に変換し、コーディネートに用いるファッションアイテムやコーディネート状況を音声にて出力することができるコーディネート音声出力機能が含まれることを特徴とする。
【００６５】
この場合、コーディネート音声ナビゲートシステムとして、コーディネート結果に至る過程を全て音声で案内する。たとえば、共通事項として、一般的な今年の流行の素材、色、形、コンセプト等を、及び／もしくは、個別的事項として、個人データを基にその人に合った提案（属性、ＴＰＯ、ストレス、心理的な事、占いなど）を音声で案内する機能を備えさせる。
【００６６】
かかる機能を備える本発明によれば、障害者（特に盲目）でも本システムを利用することができる。
【００６７】
また本発明に係るファッションコーディネート編集実行部は、入力したファッションアイテム情報やコーディネート状況を三次元画像として出力することができるコーディネート三次元画像出力機能が含まれることを特徴とする。
【００６８】
かかる機能を備える本発明によれば、操作画面上に係る二次元画像だけでなく、立体的な三次元画像にてファッションアイテムやコーディネート状況を確認できるため、ユーザの発想により近いコーディネートやアイテム選択を行うことができる。
【００６９】
また本発明に係るファッションコーディネート編集実行部は、乳幼児の装着物や使用物、幼少児の装着物及び不用装着物を含む各種ファッションアイテム情報のうち少なくとも１つを含むファッションアイテム情報については、さらに譲渡、修繕及びネットオークションへの出品に係る各種処分のうち少なくとも１つを含む処分を実行する処分実行機能が含まれることを特徴とする。
【００７０】
かかる機能を備える本発明によれば、乳幼児の装着物や使用物、幼少児の装着物及び古くなったり不用となったりした装着物に係るファッションアイテムについて譲渡、修繕及びネットオークションへの出品に係る処分を実行可能とすることにより、ファッションアイテムを無駄にすることなく有益な処分をすることが実現される。
【００７１】
また本発明に係るファッションコーディネート編集実行部は、ユーザに係る性別、年齢その他全てのプロフィールの情報、ファッションの流行の情報及び上記記載の条件のうち少なくとも一つの情報或いはそれらの組み合わせによる複合的な情報を基に、ユーザのコーディネートを提案するコーディネート提案機能が含まれることを特徴とする。
【００７２】
ここで、コーディネート作成に必要な属性としては、次のものがたとえば挙げられる。
【００７３】
個人情報としては、たとえば、画像を含む手持ちアイテム情報、顔写真、身長、体重、性別、身体サイズ（ウエスト、ヒップ、胸囲、首周り等）、衣服サイズ（Ｓ、Ｍ、Ｌ等／７、９、１１、１３等／３６、３８、４０等）、靴サイズ（２３、２３．５、２４等）生年月日、年齢、職業（業種、役職）、年収、衣服の予算、休日、髪型、肌の色、髪の色、好きな色、恋人の有無、友人の数、未婚、既婚、同居、一人暮らし、家族構成、趣味、習い事、現住所、勤務先住所、学校住所、アルバイト先住所、ヘアサロン住所、好きなブランド・好きなショップ住所、家・車の有無、旅行の場所、障害者等がある。
【００７４】
商品属性としては、たとえば、素材（綿、ウール、シルク、カシミヤ等）色（ベージュ、白、茶、黒等）模様（水玉、チェック、ストライプ、ボーダー等）、商品名（ジャケット、ブラウス、スカート等）、形（長袖、半袖、七分袖、マーメイド、プリーツ等）、商品サイズ、季節（春、夏、秋、冬、通年）スタイル（カジュアル、フォーマル、フェミニン、ゴージャス等）ブランド名、製造国、衣服サイズ、価格、販売店名・住所等がある。
【００７５】
販売店属性としては、たとえば、購入者・着衣者の個人情報、商品購入履歴（購入日、商品・価格等）、販売店名・住所、用途、スタイル、季節、価格、ブランドコンセプト、雑誌、広告掲載商品、コーディネート提案、割引・イベント・新作情報、売上げ向上の為の情報等がある。
【００７６】
購入者属性としては、たとえば、個人情報、商品購入履歴（購入日、商品・価格等）、希望商品の（価格、素材、色、柄、模様、形、ブランド名、製造国、用途、スタイル、イメージ）、希望する購入販売店・場所、季節、天気、気温、着衣場所、体調等がある。
【００７７】
着衣者属性としては、たとえば、個人情報、商品着衣履歴（着衣日、アイテム、友人等）希望商品の（価格、素材、色、柄、模様、形、ブランド名、製造国、用途、スタイル、イメージ）、希望する購入販売店・場所、季節、天気、気温、着衣場所、体調等がある。
【００７８】
かかる機能を備える本発明によれば、ユーザ自ら考えることなく、プロフィール情報等から自動的に推奨されるコーディネートを確認できる。具体的には、ユーザは自らコーディネート画像情報条件設定格納機能及び／またはコーディネート画像情報条件指定呼出機能に係る条件、コーディネート静止画像情報に係る基本情報及び詳細情報を含む各種条件での検索によりコーディネートしたり、ユーザインターフェースにて画面上で装着物を移動させてコーディネートしたりすることなく、かかる機能を起動させることで受動的にコーディネートをしてもらうことができる。例えば、コーディネート画像情報における天候に関する属性に基いて、外出する前の曖昧な天気（雨が降るのかどうか不明な天気等）や曖昧な気温（寒くなるのか暑くなるのか不明な状態等）の場合に、数時間後の天気や気温の予想情報から最適なファッションコーディネートを提案することができる。また、深層心理に係る属性情報に基いて、気持ちが高ぶらない（テンションがあがらない）場合に、周囲にマイナスイメージを与えないような所望のファッションコーディネートを提案することができる。さらに、所定のコーディネート画像情報に係るアイテムの各種条件に基づいて、アイテムの欠点を克服、抑制、カバーするような所望のファッションコーディネートを提案することができる。またさらに、ＴＰＯ（Ｔｉｍｅ（時）／Ｐｌａｃｅ（場所）／Ｏｃｃａｓｉｏｎ（場合））、占い結果、ラッキーカラー或いはラッキーアイテム、ストレス軽減を考慮したファッションコーディネートも提案することができる。したがって、機能にひも付く各種情報を正確かつ詳細に設定することで、よりユーザの希望するファッションセンスに近いコーディネートを自動的に取捨選択して提案することができる。なお、かかる機能は、ユーザのコンプレックスを補填する効果も有する。さらに、かかる機能は、国内外のコーディネーター（例えば、デザイナー、スタイリスト、カラーコーディネーター、カラーセラピスト、心理学者、気象予報士、或いは訪問先、旅行先のアパレル業界関係者、ツアーコンダクター、現地ガイドなどの旅行業界関係者等）に関するプロフェッショナルのノウハウを数値化した要素も加味し、さらに厳選された専門職ファッションコーディネート機能を含む。
【００７９】
また、本発明に係るソフトウェアは、コンピュータに、ユーザ及び／または店舗のファッションにおける衣服、靴、アクセサリー及び小物のうちの少なくとも一つに関する画像情報及び／もしくは文字情報であるファッションアイテム情報及びユーザのファッションにおける顔、身体、髪型、髭のうちの少なくとも一つに関する画像情報及び／もしくは文字情報であるファッションスタイル情報を入力するファッション情報入力部と、前記ファッション情報を出力するファッション情報出力部と、ユーザのファッションに係るコーディネートを編集及び実行するファッションコーディネート編集実行部と、端末の画面にファッションコーディネートに係るグラフィカルな操作表示を提供するファッションコーディネート操作画面表示部と、ネットワークを介して前記ファッション情報の送受信をするファッションコーディネート通信部と、前記ファッション情報を記憶するファッション情報記憶部とを実行させることを特徴とする。
【００８０】
また、本発明に係るファッションコーディネート商品予約システムにおいて、各店舗の備える前記ファッションコーディネート端末装置は、ユーザ及び／または店舗のファッションにおける衣服、靴、アクセサリー及び小物のうちの少なくとも一つに関する画像情報及び／もしくは文字情報であるファッションアイテム情報及びユーザのファッションにおける顔、身体、髪型、髭のうちの少なくとも一つに関する画像情報及び／もしくは文字情報であるファッションスタイル情報を入力するファッション情報入力部と、前記ファッション情報を出力するファッション情報出力部と、ユーザのファッションに係るコーディネートを編集及び実行するファッションコーディネート編集実行部と、端末の画面にファッションコーディネートに係るグラフィカルな操作表示を提供するファッションコーディネート操作画面表示部と、ネットワークを介して前記ファッション情報の送受信をするファッションコーディネート通信部と、前記ファッション情報を記憶するファッション情報記憶部とを備え、前記ファッションコーディネート商品予約システムは、前記ユーザからの要求に基づいて各店舗を含む取引状況に係る商品の有無をリアルタイムに検索するリアルタイム商品検索部と、所定の処理により該商品の購入予約を可能とするリアルタイム商品購入予約部と、ネットワークを介して前記ユーザからの要求に係る前記ファッションアイテム画像情報の受信及び前記リアルタイム商品検索部による検索結果と前記リアルタイム商品予約部による予約完了に係る各種情報の少なくとも１つを含む情報を送信するリアルタイム通信部とを有するリアルタイム商品予約管理装置とを具備することを特徴とする。
【００８１】
このように構成することで、端末装置にて商品購入予約情報を送信し、リアルタイム商品予約管理装置に係るリアルタイム商品検索部にて各店舗に係る在庫の有無を検索し、リアルタイム商品購入予約部にて店舗が有する商品の在庫の確保をし、リアルタイム通信部にてネットワークを介してユーザからの要求に応じて在庫有無の確認に係る返信及び在庫予約完了の旨を返信することにより、ユーザは購入し損ねた商品の予約購入をスムーズに行うことができる。
【００８２】
また、本発明に係るファッションコーディネートシステムは、ウェブ上でファッションのコーディネートを行うファッションコーディネートシステムであって、ユーザのファッションに係るコーディネートを編集及び実行するファッションコーディネート編集実行部と、ネットワークを介してファッション情報の送受信をするファッションコーディネート通信部とを有するファッションコーディネート管理装置と、ファッション情報を記憶するファッション情報記憶部とを有するファッションコーディネート記憶装置とを具備することを特徴とする。
【００８３】
このように構成することで、ユーザを含む利用者がファッション管理装置に係るファッションコーディネート通信部を介してファッション情報をファッションコーディネート記憶装置に係るファッション情報記憶部に記憶することができ、ファッションコーディネート編集実行部にてウェブブラウザにより端末の画面に表示される操作画面上での操作で実現させるので、ファッションコーディネートに係るシステム構築を行う必要もなくユーザの都合に合わせて幅広く活用することができる。
【発明の効果】
【００８４】
本発明によれば、情報端末を利用してユーザのファッションコーディネートを支援することで、ユーザが納得するコーディネートに係るアイテムの組み合せを割り出すことに時間を要することなく、客観的な判断によるファッションコーディネートを提供することが可能となる。また、ユーザ以外の第三者の所持する衣服、靴、アクセサリー及び小物に係るアイテムを登録することで、ユーザが所持するアイテムとの組み合わせによるシミュレーションを情報端末上で行うことを可能とし、より多くのファッションコーディネートを提供することが可能となる。また、店舗の情報端末に、店舗に陳列される衣服、靴、アクセサリー及び小物にかかる商品を登録することで、来客時にユーザへのファッションコーディネートに係るサービスを情報端末上でも行うことを可能とし、より有意義な接客の機会を提供することが可能となる。また、ユーザが店舗にて自己の情報端末に登録して買い損ねた衣服、靴、アクセサリー及び小物に係る商品を含む各種商品のうち少なくとも１つを含む商品を予約購入する際に、ユーザは該商品の静止画像情報にて予約手続きを行うことを可能とし、より簡易かつ迅速な予約購入サービスを提供することが期待される。
【発明を実施するための最良の形態】
【００８５】
以下、図面を参照して本発明を実施するための最良の形態について説明する。
【００８６】
図１は、本発明の一実施形態に係る個人用ファッションコーディネート端末装置、携帯端末、店舗用ファッションコーディネート端末装置及びリアルタイム管理装置を有するファッションコーディネート商品予約システムを含むファッションコーディネートシステム全体の構成を示すブロック図である。
なお、以下では、本願発明の目的の達成のために説明に必要な範囲を模試的に示し、本願発明の該当部分の説明に必要な範囲を主に説明することとし、説明を省略する箇所については公知技術によるものとする。
【００８７】
同図に示すように、本発明の一実施形態に係るファッションコーディネートシステムは、ユーザ用ファッションコーディネート端末装置１０と、携帯情報端末２０と、店舗用ファッションコーディネート端末装置３０と、ファッションコーディネート商品予約システムに係るリアルタイム商品予約管理装置４０とを基本的な構成として備えている。また、ユーザ用ファッションコーディネート端末装置１０、店舗用ファッションコーディネート端末装置３０及びリアルタイム商品予約管理装置４０とは、ネットワーク５０（インターネット／イントラネットでもよい）を介して情報のやり取りが可能な状態に接続させている。
【００８８】
ここで、ユーザ用ファッションコーディネート端末装置１０には、パーソナルコンピュータ（ＰＣ）やパーソナルデータアシスタント（ＰＤＡ）、携帯電話、カーナビゲーション及びテレビ、デジタルカメラが含まれる。
【００８９】
ユーザ用ファッションコーディネート端末装置１０は、ファッション情報入力部１０１、ファッション情報出力部１０２、ファッションコーディネート編集実行部１０３、ファッションコーディネート操作画面表示部１０４、ファッションコーディネート通信部１０５及びファッション情報記憶部１０６を備えている。
【００９０】
ユーザ用ファッションコーディネート端末装置１０に係るファッション情報入力部１０１は、バーコードやＱＲコードを含むコード入力機能と、ＲＦＩＤを含むセンサ入力機能とを備えている。
【００９１】
ユーザ用ファッションコーディネート端末装置１０に係るファッション情報出力部１０２は、各種ファッションアイテム情報を外部出力する機能を備えている。
【００９２】
ユーザ用ファッションコーディネート端末装置１０に係るファッションコーディネート編集実行部１０３は、ファッション情報記憶部１０６に記憶されているファッション情報を携帯情報端末２０（及び／もしくは店舗端末）に転送するファッション情報転送機能を備えている。
【００９３】
ここで、携帯情報端末２０には、パーソナルデータアシスタント（ＰＤＡ）、携帯電話及びデジタルカメラが含まれる。また、携帯情報端末２０を利用する場合、携帯情報端末２０はユーザ用ファッションコーディネート端末装置１０と同程度の機能を有する。
【００９４】
また、ファッションコーディネート編集実行部１０３は、ファッション情報入力部に入力されたファッション情報に係る静止及び／もしくは動画画像情報（以下、単に「画像情報」ともいう。）のうち不要な部分を削除する画像情報不要部分削除機能（トリミング）を備えている。
【００９５】
さらに、ファッションコーディネート編集実行部１０３は、ファッション情報入力部１０１から入力されたファッション情報における画像情報及び／または画像情報不要部分削除機能にて編集された編集済画像情報に係るコーディネート画像情報をファッション情報に係る文字情報を基に条件設定してファッション情報記憶部１０６に格納するコーディネート画像情報条件設定格納機能と、アイテム情報に係る文字情報を基に条件指定してファッション情報記憶部より呼び出すコーディネート画像情報条件指定呼出機能を備えている。なお、コーディネート画像情報条件設定格納機能により格納される具体的な構造を図９に示す。
【００９６】
さらに、ファッションコーディネート編集実行部１０３は、コーディネート画像情報条件設定格納機能を実行させるための操作部分を少なくとも備える所定のウィンドウを表示するコーディネート画像情報条件設定ウィンドウ表示機能を備えている。
【００９７】
さらに、ファッションコーディネート編集実行部１０３は、コーディネート画像情報に係るユーザの切替を可能とするユーザ切替ボタンと、ユーザの複数のファッションコーディネートを視認可能とするファッションコーディネート部分と、ファッション情報に係る文字情報を基に条件設定されるコーディネート画像情報の切替表示可能とするコーディネート画像情報切替表示部分とを少なくとも備える所定のウィンドウを表示するコーディネートウィンドウ表示機能を備えている。
【００９８】
さらに、ファッションコーディネート編集実行部１０３は、コーディネートウィンドウ表示機能によって表示されるファッションコーディネート部分に映し出されるユーザを複数の角度から視認するため切替表示可能とするユーザ視認角度切替表示機能を備えている。
【００９９】
ここで、複数の角度には、正面、右側面、左側面、背面及び斜面のうち少なくとも一つが含まれる。
【０１００】
さらに、ファッションコーディネート編集実行部１０３は、コーディネートウィンドウ表示機能によって表示されるファッションコーディネート部分に映し出されるユーザの身体の一部分を複写して他の部分に貼り付けるユーザ身体一部分複写貼付機能（コラージュ）を備えている。
【０１０１】
さらに、ファッションコーディネート編集実行部１０３は、コーディネートウィンドウ表示機能によって表示されるコーディネート画像情報切替表示部分に映し出されるファッションアイテム情報に係るコーディネート画像情報に条件設定されている各種情報を所定の操作実行により表示するファッション情報詳細表示機能を備えている。
【０１０２】
さらに、ファッションコーディネート編集実行部１０３は、コーディネートウィンドウ表示機能によって表示される所定のウィンドウにて国別装着物寸法表や年齢別装着物平均寸法表のうち少なくとも１つを含む各種寸法表を所定の操作実行により表示する装着物寸法表表示機能を備えている。
【０１０３】
ここで、国別装着物寸法表には、米国、欧州、中国、インド、中東及び日本を含む全世界の各国製もしくはこれらの国向けの靴や下着が含まれる。
【０１０４】
さらに、ファッションコーディネート編集実行部１０３は、コーディネートウィンドウ表示機能により表示されたコーディネート画像情報の１つを選択してファッションコーディネート部分に表示された複数のユーザ中の１ユーザに係る身体の形状（ポーズ）に合わせて仮想的に装着可能とするコーディネート画像情報仮想装着機能を備えている。なお、身体の形状（ポーズ）には、前面が開閉可能なアイテム（ジャケットやシャツ等）における開いている場合或いは閉じている場合（一部閉じている部分を含む。）、インナー（シャツやタンクトップ等）を余分な部分をズボンの中に入れる場合或いは外に出す場合、ベルトの装着の有無、スカーフの有無、アクセサリーの有無及び眼鏡の有無その他全てのポーズを含み、これらに限定されない。
【０１０５】
さらに、ファッションコーディネート編集実行部１０３は、コーディネートウィンドウ表示機能により表示されたファッションコーディネート部分に映し出された複数のユーザ中の１ユーザを選択してユーザに係る身体以外の背景部分の画像を任意及び／または季節毎或いは場所毎に所定の背景を自動的に設定可能とする背景画像設定機能を備えている。
【０１０６】
ここで、背景画像には、海、山及び海外や所定の春風景、夏風景、秋風景及び冬風景が含まれる。
【０１０７】
さらに、ファッションコーディネート編集実行部１０３は、コーディネート画像情報条件指定呼出機能を実行させてコーディネート画像情報切替部分に表示させるための条件指定検索ウィンドウを表示する条件指定検索表示機能を備えている。
【０１０８】
さらに、ファッションコーディネート編集実行部１０３は、カレンダーに係る日付にコーディネート画像情報や各種行事を設定し、日付に設定されている条件に基いてコーディネート画像情報切替部分に表示させるためのカレンダー設定検索ウィンドウ表示機能を備えている。
【０１０９】
さらに、ファッションコーディネート編集実行部１０３は、ファッション情報入力部により入力されたファッションアイテム情報に係る各種装着物の付着物（タグ）を含む画像情報を所定の処理により文字情報に変換して翻訳する画像情報文字情報変換翻訳機能を備えている。
【０１１０】
さらに、ファッションコーディネート編集実行部１０３は、コーディネート画像情報仮想装着機能により装着させたコーディネート画像情報の色彩、模様及び柄を含む各種装飾情報を所定の操作実行によって変更するコーディネート画像情報装飾情報変更機能を備えている。
【０１１１】
さらに、ファッションコーディネート編集実行部１０３は、コーディネートを行う人の肌（顔及び体全体を含む。）、目、唇、髪の毛及び髭を含む人体の色彩を有する部分の色を選択することができるコーディネート人体色彩部分選択機能を備えている。
【０１１２】
さらに、ファッションコーディネート編集実行部１０３は、入力したファッションアイテム情報を音声情報に変換し、コーディネートに用いるファッションアイテムやコーディネート状況を音声にて出力することができるコーディネート音声出力機能を備えている。
【０１１３】
さらに、ファッションコーディネート編集実行部１０３は、入力したファッションアイテム情報やコーディネート状況を三次元画像として出力することができるコーディネート三次元画像出力機能を備えている。
【０１１４】
さらに、ファッションコーディネート編集実行部１０３は、乳幼児の装着物や使用物、幼少児の装着物及び古くなったり不用となったりした装着物を含む各種ファッションアイテムのうち少なくとも１つを含むファッションアイテムについては、さらに譲渡、修繕及びネットオークションへの出品に係る各種処分のうち少なくとも１つを含む処分を実行する処分実行機能を備えている。
【０１１５】
さらに、ファッションコーディネート編集実行部１０３は、ユーザに係る性別、年齢その他全てのプロフィールの情報、ファッションの流行の情報及び上記記載の詳細条件のうち少なくとも一つの情報或いはそれらの組み合わせによる複合的な情報を基に、ユーザのコーディネートを提案するコーディネート提案機能を備えている。
【０１１６】
ユーザ用ファッションコーディネート端末装置１０に係るファッションコーディネート操作画面表示部１０４は、ファッションコーディネート編集実行部１０３に係る各種表示機能により表示される画面を映し出す機能を備えている。
【０１１７】
ユーザ用ファッションコーディネート端末装置１０に係るファッションコーディネート通信部１０５は、ネットワーク５０を介して接続されたユーザ用ファッションコーディネート端末装置１０、携帯情報端末２０、店舗用ファッションコーディネート端末装置３０に対して、各種ファッション情報のうち少なくとも１つを含む情報の送受信をする機能を備える。
【０１１８】
ユーザ用ファッションコーディネート端末装置１０に係るファッション情報記憶部１０６は、所定の手順によって入力されたファッション情報に係る画像情報や文字情報、条件設定及び／または条件指定に係る文字情報及び背景画像設定機能により設定される背景画像情報が格納されている。
【０１１９】
携帯情報端末２０には、ユーザ用ファッションコーディネート端末装置１０と同機能を搭載している装置またはユーザ用ファッションコーディネート端末装置１０に係るファッションコーディネート編集実行部１０３に含まれる各種機能のうち少なくとも１つを含む機能を実現するプログラム、ソフトウェアを搭載（インストール）し、かかるソフトを実行可能形式にして搭載した記録媒体を内蔵していることを含む。
【０１２０】
店舗用ファッションコーディネート端末装置３０には、ユーザ用ファッションコーディネート端末装置１０と同機能を搭載している装置またはユーザ用ファッションコーディネート端末装置１０に係るファッションコーディネート編集実行部１０３に含まれる各種機能のうち少なくとも１つを含む機能を実現するプログラム、ソフトウェアを搭載（インストール）し、かかるソフトを実行可能形式にして搭載した記録媒体を内蔵していることを含む。
【０１２１】
ファッションコーディネート商品予約システムに係るリアルタイム商品予約管理装置４０は、リアルタイム商品検索部４０１、リアルタイム商品購入予約部４０２及びリアルタイム通信部４０３を備えている。
【０１２２】
リアルタイム商品予約管理装置４０に係るリアルタイム商品検索部４０１は、リアルタイム通信部４０３によりネットワークを介して各店舗に設置される店舗用ファッションコーディネート端末装置３０に接続し、ユーザが購入希望するアイテムの在庫状況を検索する機能を備える。
【０１２３】
リアルタイム商品予約管理装置４０に係るリアルタイム商品購入予約部４０２は、ユーザが購入を希望する商品について、ユーザに係る登録情報を基に商品の購入予約指示をリアルタイム通信部４０３によりネットワークを介して各店舗に設置される店舗用ファッションコーディネート端末装置３０に配信する機能を備える。
【０１２４】
ここで、登録情報には、住所、氏名、購入希望する商品に係る画像情報が含まれる。
【０１２５】
リアルタイム商品予約管理装置４０に係るリアルタイム通信部４０３は、ネットワーク５０を介して接続されたユーザ用ファッションコーディネート端末装置１０、携帯情報端末２０、店舗用ファッションコーディネート端末装置３０に対して、各種ファッションアイテム情報及びユーザに係る購入予約情報のうち少なくとも１つを含む情報の送受信をする機能を備える。
【０１２６】
次に、上記のように構成される本発明のユーザ用ファッションコーディネート端末装置１０、店舗用ファッションコーディネート端末装置３０、プログラム、ソフトウェア、記録媒体及びファッションコーディネート商品予約システムにかかるリアルタイム商品予約管理装置４０の動作を説明する。
【０１２７】
本発明に係る全体的な動作・機能の流れは図２に示すフローチャートのようになる。即ち、ユーザがユーザ用ファッションコーディネート端末装置１０を利用する場合、ユーザ用ファッションコーディネート端末装置１０は各種ファッション情報の登録及び条件設定に係る処理を実行し（ステップＦ−１０）、ユーザ用ファッションコーディネート端末装置１０にてコーディネートに係る所定の処理を実行する（ステップＦ−２０）。また、ユーザは店舗に商品を購入しにいく場合、ユーザ用ファッションコーディネート端末装置１０と携帯情報端末２０との同期処理を実行する（ステップＦ−３０）。店舗にてユーザは店舗用ファッションコーディネート端末装置３０に登録されている該店舗の有する商品に係るファッション情報を携帯情報端末２０（及び／もしくは店舗端末）に転送したり、携帯情報端末２０からユーザに係るファッション情報を転送したりする（ステップＦ−４０）。そして、携帯情報端末２０や店舗用ファッションコーディネート端末装置３０にて店舗コーディネートに係る所定の処理を実行する（ステップＦ−５０）。最後に、ユーザはコーディネートしたが買い損ねた商品の購入予約を行う（ステップＦ−６０）。
【０１２８】
次に、本発明に係るユーザ用ファッションコーディネート端末装置１０への各種ファッション情報の登録及び条件設定（ステップＦ−１０）に係る機能の詳細な構成及び動作について、図３に示すユースケース図と図１を用いて説明する。なお、ユースケース図内の矢印記号は、時間的な流れを示すものとする。
【０１２９】
同図に示すように、まず、ユーザ５０は、ファッション情報入力部１０１を介してファッション情報に係る画像情報及び／また文字情報を入力する（ステップＦ−１０−０１）。なお、このとき、ファッションコーディネート編集実行部１０３に係る画像情報不要部分削除機能（トリミング）を同時に起動させてもよい。
【０１３０】
また、図３に示すステップＦ−１０−０１にかかる吹き出し部分のように、各ステップ毎に裏付けとなる動的要素を有するが、以後はユースケース図により説明をするため、図示しないこととする。
【０１３１】
その後、ファッションコーディネート編集実行部１０３に係るコーディネート画像情報条件設定ウィンドウ表示機能にて表示される所定のウィンドウを介し、コーディネート画像情報条件設定格納機能にて、コーディネート画像情報を任意に各種情報にて条件設定し、ファッション情報記憶部１０６に格納する（ステップＦ−１０−０２）。
【０１３２】
次に、本発明に係るユーザ用ファッションコーディネート端末装置１０にて行うコーディネート（ステップＦ−２０）に係る機能の詳細な構成及び動作について、図４に示すユースケース図と図１を用いて説明する。同図に示すように、まず、ユーザ６０からの所定の操作実行により、ファッションコーディネート編集実行部１０３に係るコーディネートウィンドウ表示機能にて、個人コーディネートを行うための所定のウィンドウをファッションコーディネート操作画面表示部１０４に表示させる（ステップＦ−２０−０１）。
【０１３３】
また、図示する点線内のユースケースを実行する場合、順不同とするが、ここでは上から順番に説明をする。
【０１３４】
その後、ユーザ６０からの所定の操作実行により、ファッションコーディネート編集実行部１０３に係る条件指定検索ウィンドウ表示機能にて、条件指定検索ウィンドウをファッションコーディネート操作画面表示部１０４に表示させ、条件指定検索ウィンドウにて、画像情報に設定される任意の条件を指定し検索したり、カレンダー設定検索ウィンドウ表示機能にて、カレンダー設定検索ウィンドウを該ファッションコーディネート操作画面表示部１０４に表示させ、カレンダーに係る日付に該コーディネート画像情報や各種行事を設定し、日付に設定されている条件に基づいて検索したりして、条件に合致した画像情報のみを画像情報切替部分に表示する（ステップＦ−２０−０２）。
【０１３５】
また、ユーザ６０からの所定の操作実行により、ファッションコーディネート編集実行部１０３に係るコーディネート画像情報仮想装着機能にて、コーディネート画像情報切替表示部分に表示された画像情報の１つを選択してファッションコーディネート部分に表示された複数のユーザ中の１ユーザに係る身体の形状（ポーズ）に合わせて仮想的に装着させる（ステップＦ−２０−０３）。なお、身体の形状（ポーズ）には、前面が開閉可能なアイテム（ジャケットやシャツ等）における開いている場合或いは閉じている場合（一部閉じている部分を含む。）、インナー（シャツやタンクトップ等）を余分な部分をズボンの中に入れる場合或いは外に出す場合、ベルトの装着の有無、スカーフの有無、アクセサリーの有無及び眼鏡の有無その他全てのポーズを含み、これらに限定されない。
【０１３６】
また、ユーザ６０からの所定の操作実行により、ファッションコーディネート編集実行部１０３に係る背景画像設定機能にて、ファッション記憶部１０６から背景画像情報を呼び出し、ファッションコーディネート部分に映し出された複数のユーザ中の１ユーザを選択してユーザに係る身体以外の背景部分の画像を任意に設定する（ステップＦ−２０−０４）。
【０１３７】
また、ユーザ６０からの所定の操作実行により、ファッションコーディネート編集実行部１０３に係るユーザ視認角度切替表示機能にて、ファッションコーディネート部分に表示されたユーザを複数の角度から視認する（ステップＦ−２０−０５）。
【０１３８】
また、ユーザ６０からの所定の操作実行により、ファッションコーディネート編集実行部１０３に係る装飾情報変更機能にて、コーディネート画像情報仮想装着機能により装着させたコーディネート画像情報の色彩、模様及び柄含む各種装飾情報を変更する（ステップＦ−２０−０６）。
【０１３９】
また、ユーザ６０からの所定の操作実行により、ファッションコーディネート編集実行部１０３に係るコーディネート人体色彩部分選択機能にて、例えば、コーディネートを行う人の髪の毛の色を変えてみたり、肌の色を変えてみたり、或いは化粧を施すことで、コーディネートのバリエーションを広げることができる（図示しない）。
【０１４０】
また、ユーザ６０からの所定の操作実行により、ファッションコーディネート編集実行部１０３に係るコーディネート音声出力機能にて、例えばユーザ６０が盲目の障害を負っている場合でも、選択したファッションアイテム情報やコーディネート状況を音声で出力することができるため、ユーザ６０は所望のコーディネートを行うことができる（図示しない）。
【０１４１】
また、ユーザ６０からの所定の操作実行により、ファッションコーディネート編集実行部１０３に係るコーディネート三次元画像出力機能にて、二次元画像では把握できないファッションアイテムのディティールや素材の特徴或いはコーディネートにおけるシルエットや全体のバランスを三次元画像にて確認することができるため、ユーザ６０はより一層所望のコーディネートを行うことができる（図示しない）。
【０１４２】
また、ユーザ６０からの所定の操作実行により、ファッションコーディネート編集実行部１０３に係るユーザ身体一部分複写貼付機能（コラージュ）にて、ファッションコーディネート部分に映し出されるユーザの身体の一部分を複写して他の部分に貼り付ける（ステップＦ−２０−０７）。
【０１４３】
また、ユーザ６０からの所定の操作実行により、ファッションコーディネート編集実行部１０３に係るファッション情報詳細表示機能にて、コーディネート画像情報切替表示部分に映し出されるファッションアイテム情報に係るコーディネート画像情報に条件設定されている各種情報を表示する（ステップＦ−２０−０８）。
【０１４４】
また、ユーザ６０からの所定の操作実行により、ファッションコーディネート編集実行部１０３に係る装着物寸法表表示機能にて、コーディネートウィンドウ表示機能によって表示される所定のウィンドウにて国別装着物寸法表や年齢別装着物平均寸法表のうち少なくとも１つを含む各種寸法表を表示する（ステップＦ−２０−０９）。
【０１４５】
また、ユーザ６０からの所定の操作実行により、ファッションコーディネート編集実行部１０３に係る画像情報文字情報変換翻訳機能にて、ファッション情報入力部１０１より入力されたファッションアイテム情報に係る各種装着物の付着物（タグ）を含む画像情報を文字情報に変換して翻訳する（ステップＦ−２０−１０）。
【０１４６】
また、ユーザ６０からの所定の操作実行により、ファッションコーディネート編集実行部１０３に係る処分実行機能にて、乳幼児の装着物や使用物、幼少児の装着物及び古くなったり不用となったりした装着物を含む各種ファッションアイテム情報のうち少なくとも１つを含むファッションアイテム情報については、さらに譲渡、修繕及びネットオークションへの出品に係る各種処分のうち少なくとも１つを含む処分を実行する（ステップＦ−２０−１１）。
【０１４７】
また、ユーザ６０からの所定の操作実行により、ファッションコーディネート編集実行部１０３に係るコーディネート提案機能にて、例えば、ユーザ６０自らが各種条件検索をして所望のコーディネートを模索する時間がない場合や、ファッションセンスに自信がない場合に、ユーザ６０のプロフィールや近年のファッションの流行、或いはユーザ６０に起こり得るシチュエーションの情報を基に、受動的にかつ迅速に最適なファッションコーディネートが行われる（図示はしない）。
【０１４８】
次に、本発明に係るユーザ用ファッションコーディネート端末装置１０と携帯情報端末２０との同期（ステップＦ−３０）に係る機能の詳細な構成及び動作について、図５に示すユースケース図と図１を用いて説明する。同図に示すように、ユーザ用ファッションコーディネート端末装置１０と携帯情報端末２０とを有線または無線にて情報通信のやり取りが可能な状態にし、ユーザ６０からの所定の操作実行により、ファッションコーディネート編集実行部１０３に係るファッション情報転送機能にて、携帯情報端末２０をユーザ用ファッションコーディネート端末装置１０に係る所定の状態に同期させる（ステップＦ−３０−０１）。
【０１４９】
次に、本発明に係る携帯情報端末２０と店舗用ファッションコーディネート端末装置３０とのファッション情報における相互転送（ステップＦ−４０）に係る機能の詳細な構成及び動作について、図６に示すユースケース図と図１を用いて説明する。同図に示すように、ユーザは商品購入のために店舗に行き、携帯情報端末２０または店舗用ファッションコーディネート端末装置３０にてコーディネートのシミュレーションを行う場合、携帯情報端末２０と店舗用ファッションコーディネート端末装置３０とを有線または無線にて情報通信のやり取りが可能な状態にし、ユーザ６０または店舗従業員７０からの所定の操作実行により、携帯情報端末２０と店舗用ファッションコーディネート端末装置３０との所定の記憶部に格納されるファッション情報を相互に転送する（ステップＦ−４０−０１）。
【０１５０】
次に、本発明に係る携帯情報端末２０または店舗用ファッションコーディネート端末装置３０にて行うコーディネート（ステップＦ−５０）に係る機能の詳細な構成及び動作についての説明については、ステップＦ−２０に係る個人用コーディネート端末１０でのコーディネートと同程度の動作を実行するため、図７にて図示はするが説明は省略する。
【０１５１】
次に、本発明に係る店舗における商品の購入予約（ステップＦ−６０）に係る機能の詳細な構成及び動作について、図８に示すユースケース図と図１を用いて説明する。同図に示すように、購入予約をする場合、ユーザ６０からの所定の操作実行により、ネットワーク５０を介してリアルタイム通信部４０３にて、ステップＦ−４０で店舗用コーディネート端末３０より転送したファッションアイテム情報のうち、購入を希望する商品に係るコーディネート画像情報を受信する（ステップＦ−６０−０１）。受信後、リアルタイム商品検索部４０１にて、各店舗を含む取引状況に係る商品の有無を検索し（ステップＦ−６０−０２）、商品の存在を確認した場合、リアルタイム商品購入予約部４０２にて、商品の所定の購入予約処理を実行し、その結果をユーザ６０に送信する（ステップＦ−６０−０３）。なお、商品の存在を確認できなかった場合は、その旨をユーザ６０に送信する（図示しない）。
【０１５２】
以上、詳細に説明したように、個人用ファッションコーディネート端末装置１０及び／店舗用ファッションコーディネート端末装置３０によれば、ファッション情報入力部１０１にてデジタルカメラやスキャナを含む各種機器のうち少なくとも１つを含む画像情報機器やキーボードやタッチパネルを含む各種機器のうち少なくとも１つを含む文字情報入力機器から入力された各種情報を所定の処理により認識し、ファッション情報出力部１０２にて所定の画像情報や文字情報を他の情報端末に転送し、ファッションコーディネート編集実行部１０３にて静止及び／もしくは動画画情報や文字情報の所定の処理を実行し、ファッションコーディネート操作画面表示部１０４にてファッションコーディネート編集実行部１０３にて所定の画面表示処理された画面を表示し、ファッションコーディネート通信部１０５にて画像情報や文字情報をネットワークを介して送受信し、ファッション情報記憶部１０６にて所定の記憶構造により画像情報や文字情報を格納しておくため、ユーザ及び／または店舗はファッションコーディネートを情報端末により行うことができる。
【０１５３】
また、リアルタイム管理装置４０を含むファッションコーディネート商品予約システムによれば、個人用ファッションコーディネート端末装置３０にて商品購入予約情報を送信し、リアルタイム商品予約管理装置に係るリアルタイム商品検索部４０１にて各店舗に係る在庫の有無を検索し、リアルタイム商品購入予約部４０３にて店舗が有する商品の在庫の確保をし、リアルタイム通信部４０３にてネットワーク５０を介してユーザからの要求に応じて在庫有無の確認に係る返信及び在庫予約完了の旨を返信することにより、ユーザは購入し損ねた商品の予約購入をスムーズに行いことが実現される。
【０１５４】
また、本発明の一実施形態に係るファッションコーディネートシステムとして、ウェブ上でコーディネートを行うことができる。すなわち、ユーザは、ファッションコーディネート端末装置を有することなく、ＡＰＩ（アプリケーション・プログラミング・インタフェース）を利用することでネットワークを利用できる環境にいれば所定の機能を有するコーディネートサーバ及びファッション情報データベースを含むサーバ群にアクセスし、所望のコーディネートを行うことができる。さらに、ＡＰＩを利用することで第三者（例えば、国内外のアパレル業者、ファッションコーディネーター、旅行先の現地ガイド、ツアーコンダクター、物流業者等）からの情報も入手することができる。
【０１５５】
そこで、図１０は、本発明の一実施形態に係るＡＰＩ方式を利用したファッションコーディネートシステムの全体を示すブロック図である。同図に示すとおり、本システムは、サーバ群１０００（ファッションコーディネート管理装置及びファッションコーディネート記憶装置を含む。）に対し、ユーザ６０、物品サービス利用者２０００（例えば、ファッション雑誌、販売店、デパート、スーパーマーケット、コンビニエンスストアー、ショッピングセンター、スポーツショップ、教会、結婚式場、貸し衣装店、古着ショップ、リサイクルショップ、ブランドショップ、ＴＶショッピング、通販、写真館、ヘアサロン、美容院、かつらメーカー、エステサロン、デザイナー学校、服飾学校、ファッションコレクション、発表会等の情報及びその他ファッション関係に精通する業者のうち少なくとも一つを含む。）、物流サービス利用者３０００（例えば、生産工場、輸送業者、バイヤー、出荷業者、納品業者、卸売業者及び小売業者その他ファッション関係の流通に精通する業者のうち少なくとも一つを含む。）或いは国内外のファッションコーディネーター４０００（例えば、デザイナー、スタイリスト、カラーコーディネーター、カラーセラピスト、心理学者、気象予報士或いは訪問先、旅行先のアパレル業界関係者、ツアーコンダクター、現地ガイドなどの旅行業界関係者その他ファッションコーディネートに対するアドバイスや提案をすることができる者のうち少なくとも一つを含む。）は、ネットワーク５０を介して、アクセスすることができる。なお、アクセス制限の解除、利用者の登録その他ネットワークセキュリティに関する手続については完了しているものとし、ここでの記載は省略する。
【０１５６】
ここで、サーバ群１０００に係るファッションコーディネート管理装置は、上記記載のファッションコーディネート端末装置１０のファッションコーディネート編集実行部１０３に搭載される各機能を同様に有する。また、ファッションコーディネート記憶装置には、ユーザ６０が有する各種ファッションアイテムに係る画像情報について、所定の条件を付与してデータベース管理されている。したがって、ユーザ６０はＡＰＩを利用することで、あたかもファッションコーディネート端末装置１０を有するかのようにコーディネートを行うことができる。
【０１５７】
また、サーバ群１０００にアクセスしているユーザ６０は、所定の操作画面にてコーディネートを行いながら、物販サービス利用者２０００が提供するファッションアイテム情報を電子データで入手することができる。これらの情報には、ファッションアイテムに係るメーカーや店舗の情報（住所、電話番号及び地図その他ユーザ６０にとって有効な情報を示す。）が含まれていることが好ましい。したがって、ユーザ６０はそれらの情報も活用して、より一層所望のコーディネートを実現させることができる。例えば、物販サービス利用者２０００がファッションショーを提供している場合、ユーザ６０はショーの前及び／または最中に、ファッションショーで披露されるファッションアイテム情報を入手することができるため、コーディネートをその場で行いつつ所望のファッションアイテムを即購入することができる。なお、物流サービス利用者３０００を含めた物販サービス利用者２０００が所持する在庫の確認をすることができる。
【０１５８】
したがって、ユーザ６０は自らのファッションアイテム情報及び／または物販サービス利用者２０００から入手したファッションアイテム情報を基にコーディネートすることができる。このとき、国内外のファッションコーディネーター４０００とのやり取りも行うことができるため、客観的にコーディネート提案を受けることができる。特に、旅行に行く場合には、現地の情報がわからずにどのようなファッションアイテムを持参すべきか判断しかねるようなときには、旅行先のツアーコンダクターや現地ガイドなどの旅行業界関係者、現地ファッションコーディネーター、現地ファッションスタイリストなどのアパレル業界関係者等から直接コーディネート提案してもらうことで、ユーザ６０は余分にファッションアイテムを持参する必要がなく、また少ないファッションアイテムでも十分にコーディネートを楽しむことができる。
【０１５９】
なお、ユーザ６０がファッションアイテムを提供する小売店舗に行く場合、所望の店舗に近づくことで該店舗に係る店舗情報（例えば、ブランドコンセプト、価格帯、スタイル提案、看板商品、サイズ展開及び特典サービス（一般向け、会員向け、お得意様の区別があってもよい。）その他ファッションアイテム情報のうち少なくとも一つを含む。）を自動的に受信することができることが好ましい。これにより、ユーザ６０は迷わず所望の店舗への行くことができる。また、店舗での店員の接客対応を受けることなく、未然に購入を希望する商品の情報を入手し、コーディネートも行うことができるため、堰かされることもなく自由にファッションアイテムを選択することができる。
【０１６０】
なお、本発明は上述した実施形態に限定されるものではなく、本発明の主旨を逸脱しない範囲内で種々変更して実施することが可能である。
【０１６１】
また、上述したものは本願に係る技術思想を具現化するための実施形態の一例を示したにすぎないものであり、他の実施形態でも本願に係る技術思想を適用することが可能である。
【０１６２】
さらにまた、本願発明を用いて生産される装置、方法、システムが、その２次的生産品に登載されて商品化された場合であっても、本願発明の価値は何ら減ずるものではない。
【産業上の利用可能性】
【０１６３】
本発明に係るファッションコーディネート端末装置、プログラム、ソフトウェア、記録媒体及びファッションコーディネート商品予約システムによれば、情報端末を利用してユーザのファッションコーディネートを支援することを実現させることで、ユーザが納得するコーディネートに係るアイテムの組み合せを割り出すことに時間を要さず、客観的な判断によりファッションコーディネートを提供し、ユーザ以外の第三者の所持する衣服、靴、アクセサリー及び小物にかかるアイテムを登録することで、ユーザが所持するアイテムとの組み合わせによるシミュレーションを情報端末上で行うことを可能とし、より多くのファッションコーディネートを提供し、店舗の情報端末に、店舗に陳列される衣服、靴、アクセサリー及び小物に係る商品を登録することで、来客時にユーザへのファッションコーディネートに係るサービスを情報端末上でも行うことを可能とし、より有意義な接客の機会を提供し、ユーザが店舗にて自己の情報端末に登録して買い損ねた衣服、靴、アクセサリー及び小物に係る商品を含む各種商品のうち少なくとも１つを含む商品を予約購入する際に、ユーザは商品の画像情報にて予約手続きを行うことを可能とし、より簡易かつ迅速な予約購入サービスを提供することが期待される。この効果は、ユーザの私生活の充実化や店舗の売上の上昇といったビジネスチャンスの拡充にとどまらず、ファッション業界が現状抱えている問題、例えば、在庫管理のあるべく姿や真に顧客が要求するサービス等のテーマについて解決する切っ掛けとなりうる点で、大きな有益性をもたらすものである。
【０１６４】
さらに、本発明の内容を突き詰めれば、ファッショ業界で問題視されている在庫管理や受注生産の課題を解決し得る。詳細には、ユーザがインターネット上で購入を希望するファッションアイテムを選択すると、各ブランド、メーカー及びそれらの代理店、卸売店若しくは小売店、或いはデパートやショッピングセンターの在庫を確認し、在庫がある店舗から取り寄せることができるし、在庫がない人気商品は受注の都度製造することができる。また、ユーザが閲覧したファッションアイテムの履歴から、該ユーザのファッションセンスや趣味を割り出し、アクセスの際には推奨商品を提示することで、コーディネートに役立てることができる。したがって、本発明の技術思想は、今後はファッション業界のおける生産、物流、受発注及び在庫管理その他の仕組みを含んだシステム化を実現させるものとなり得る。
【図面の簡単な説明】
【０１６５】
【図１】本発明の一実施形態に係る個人用ファッションコーディネート端末装置１０、携帯端末２０、店舗用ファッションコーディネート端末装置３０及びリアルタイム管理装置４０を有するファッションコーディネート商品予約システムを含むファッションコーディネートシステム全体の構成を示すブロック図である。
【図２】本発明の一実施形態に係るファッションコーディネートシステムの全体的な動作・機能の流れを示すフローチャートである。
【図３】本発明の一実施形態に係るユーザ用ファッションコーディネート端末装置１０への各種ファッション情報の登録及び条件設定についてのユースケース図である。
【図４】本発明の一実施形態に係るユーザ用ファッションコーディネート端末装置１０にて行うコーディネートに係る機能の詳細な構成及び動作についてのユースケース図である。
【図５】本発明の一実施形態に係るユーザ用ファッションコーディネート端末装置１０と携帯情報端末２０との同期に係る機能の詳細な構成及び動作についてのユースケース図である。
【図６】本発明の一実施形態に係る携帯情報端末２０と店舗用ファッションコーディネート端末装置３０とのファッション情報における相互転送にかかる機能の詳細な構成及び動作についてのユースケース図である。
【図７】本発明の一実施形態に係る携帯情報端末２０または店舗用ファッションコーディネート端末装置３０にて行うコーディネートに係る機能の詳細な構成及び動作についてのユースケース図である。
【図８】本発明の一実施形態に係る商品の購入予約に係る機能の詳細な構成及び動作についてのユースケース図である。
【図９】本発明の一実施形態に係るコーディネート静止及び／もしくは動画画像情報条件設定格納機能により格納される具体的な構造を示す図である。
【図１０】本発明の一実施形態に係るＡＰＩ方式を利用したファッションコーディネートシステムの全体を示すブロック図である。
【符号の説明】
【０１６６】
１０  ユーザ用ファッションコーディネート端末装置
２０  携帯情報端末
３０  店舗用ファッションコーディネート端末装置
４０  リアルタイム商品予約管理装置
５０  ネットワーク
６０  ユーザ
７０  店舗従業員
１０１  ファッション情報入力部
１０２  ファッション情報出力部
１０３  ファッションコーディーネット編集実行部
１０４  フラッシュンコーディーネット操作画面表示部
１０５  フラッシュンコーディーネット通信部
１０６  フラッシュ情報記憶部
４０１  リアルタイム商品検索部
４０２  リアルタイム商品購入予約部
４０３  リアルタイム通信部
１０００  サーバ群
２０００  物販サービス利用者
３０００  物流サービス利用者
４０００  国内外のファッションスタイリスト或いはツアーコンダクター
【図１】
2009099143.tif 000003
【図２】
2009099143.tif 000004
【図３】
2009099143.tif 000005
【図４】
2009099143.tif 000006
【図５】
2009099143.tif 000007
【図６】
2009099143.tif 000008
【図７】
2009099143.tif 000009
【図８】
2009099143.tif 000010
【図９】
2009099143.tif 000011
【図１０】
2009099143.tif 000012